(57)【特許請求の範囲】
【請求項１】
栽培容器（１）と、栽培容器（１）内部に設置される支持枠（２）で構成され、上記支持枠（２）は、上記栽培容器（１）に掛けられて設置される掛かり枠（２１）と、上記掛かり枠（２１）から下向きに延びて設置される多数個の弾性紐設置竿（２２）と、弾性紐設置竿（２２）に設置される多数の弾性紐（２３）が上、下２層で構成されることを特徴とする水耕栽培器。
【請求項２】
上記弾性紐（２３）は、互いに交差するように配列されることを特徴とする、請求項１に記載の水耕栽培器。
【請求項３】
上記弾性紐設置竿（２２）の下部で弾性紐設置竿（２２）と結合する締り阻止具（３）が設置されたことを特徴とする、請求項１に記載の水耕栽培器。
【請求項４】
上記締り阻止具（３）は、その外側面に上記弾性紐設置竿（２２）各々を挿入するための多数の溝を含むことを特徴とする、請求項３に記載の水耕栽培器。
【発明の詳細な説明】
【技術分野】
【０００１】
本発明は植物を水耕栽培するためのフレームに関する。特に観賞等のためにすでに成長した植物を水耕栽培するための水耕栽培器に関するもので、さらにこのような成長植物の転倒を防止するための支持枠を有する水耕栽培器に関する。
【背景技術】
【０００２】
従来の水耕栽培器は、大韓民国実用新案登録第２０−０４２０７２０号「水耕栽培器」で見るように、一般的に栽培容器に網形の栽植板を設置し、栽植板に播種をした後、種が発芽し育つようにするもので、すでに大きく成長した植物を水耕栽培するには適切でない欠点があった。
【０００３】
大韓民国特許登録第１０−１３０８６６４号は、複数個の発育対象が挿入される挿入ホールが形成される平板部と上記挿入ホールの下部に突出して形成されるポットを備える上板、及び、上記上板の下部に配置されて上記上板を支持して内部に養液を収容する養液容器を含み、上記上板は平板部とポットが一体型に形成され、発育対象が植えられ養液を吸収することができる気孔が形成され、上記ポットに安着される安着体がさらに備えられ、上記上板と上記養液容器の間に配置され内側に一定の深さを有する養液保管領域を形成して養液を保管し、給水ホールと排水ホールが形成される安着板、上記安着の外側から上方に突出する第１側壁、上記給水ホールから上方に突出して形成される給水用突出部、及び、上記排水ホールから上方に突出して形成される排水用突出部、を含む中間板、をさらに備えてなることを特徴とする水耕栽培器を開示している。しかし、大韓民国第１０−１３０８６６４号は、水耕栽培用植木鉢としては、適さない問題があった。
【先行技術文献】
【特許文献】
【０００４】
【特許文献１】大韓民国実用新案登録第２０−０４２０７２０号
【特許文献２】大韓民国特許登録第１０−１３０８６６４号
【発明の概要】
【発明が解決しようとする課題】
【０００５】
すでに大きく成長した植物は植物によってその幹の大きさや太さが一定でない上に、上部には葉と枝を有し下部には根が発達しており、このような成長植物を水耕栽培器に安置させることは容易でないだけなく、実用新案登録第２０−０４２０７２０号で見るような網形の栽植板に設置して栽培することは適切でないのみならず不可能とさえいえる。そこで、本発明は、成長した植物の水耕栽培器への設置を容易にするのみならず、設置された植物が元の位置を維持しながら倒れないようにし、さらには植物を支える支持装置が植物の幹を傷めないようにしなければならないという課題を解決しようとする。
【課題を解決するための手段】
【０００６】
上のような課題を解決するために、本発明は、栽培容器と栽培容器内部に設置される支持枠で構成され、上記支持枠は、栽培容器に掛けられて設置される掛かり枠と、掛かり枠に掛かり枠と直交する方向に下向きに延びて設置される多数個の弾性紐設置竿と、弾性紐設置竿に設置される弾性紐で構成されることを特徴とする水耕栽培器を提供する。掛かり枠に設置される弾性紐設置竿は、掛かり枠の前後方向に、また左右方向に互いに対称に設置されて、弾性紐設置竿に設置される弾性紐らが互いに直交して設置されるようにすることが望ましい。ところで、本発明の水耕栽培器で栽培される植物は、背が高い植物が一般的であるため、植物の幹を少なくとも幹の上下二ヶ所で支えてやることが望ましい。それで本発明は、弾性紐設置竿に設置される弾性紐が上下２層になる水耕栽培器を提供する。また本発明は、上記のとおり、上下二ヶ所に２層で弾性紐を設置するようになると、弾性紐が弾性紐設置竿を中側へ締めて定型性を害するおそれがあり、このような状態は、弾性紐の幹支持力の低下をもたらすおそれがある。それで、本発明は、弾性紐設置竿の下端に締り阻止具を設置してなる水耕栽培器を提供する。
【発明の効果】
【０００７】
上記のような本発明は、大きく成長した植物を水耕栽培するにおいて、植物が水耕栽培器の望ましい位置に定置するようにでき、定置した植物が横になったり倒れないようにし、定置する植物が弾性紐で支持されるのみならず、弾性紐の設置間隔の調節が可能で、太さが多様な全ての植物を安全に支持することができるようにし、弾性紐で幹の上下を支持して支持安定性を向上させ、弾性紐で植物の幹を支持することで幹に加えられる圧迫を減少させて、弾性紐による支持圧迫力により植物の成長が阻害されることを減少させることができる効果がある。
【図面の簡単な説明】
【０００８】
【図１】本発明の水耕栽培器の一実施例の分解斜視図である。
【図２】本発明の要部である支持枠の抜純斜視図である。
【図３】図１に図示された本発明の実施例の結合状態の斜視図である。
【図４】植物を植栽した状態の斜視図である。
【図５】本発明の水耕栽培器の実施例の断面図である。
【発明を実施するための形態】
【０００９】
以下添付された図面を参照して本発明を詳しく説明する。
【００１０】
図１に示されたように、本発明は栽培容器１と、栽培容器１内部に設置される支持枠２で構成され、上記支持枠２は、栽培容器１に掛けられて設置される掛かり枠２１と、掛かり枠２１に掛かり枠２１と直交する方向に下向きに延びて設置される多数個の弾性紐設置竿２２と、弾性紐設置竿２２に設置される弾性紐２３から構成されることを特徴とする水耕栽培器を提供する。
【００１１】
掛かり枠２１に設置される弾性紐設置竿２２は、掛かり枠２１の前後方向に、また左右方向に互いに対称に設置されて、弾性紐設置竿２２に設置される弾性紐２３らが互いに直交して設置されるようにすることが望ましい。このような弾性紐２３は、植栽される植物の幹を把持して植物の転倒を防止するようになる。弾性紐設置竿２２は、植物を把持する弾性紐２３を支持するもので、弾性紐２３は植物を支持さえすれば足りるため、弾性紐設置竿２２の位置や数は必要に応じて調節することができる。弾性紐設置竿２２に設置される弾性紐２３の数もまた必要に応じて選択されることができる。
【００１２】
ところで、本発明の水耕栽培器で栽培される植物は、比較的背が高い植物が一般的であるため、植物の幹を少なくとも幹の上下二ヶ所で支えてやることが望ましい。それで本発明は、弾性紐設置竿２２に設置される弾性紐２３が上下２層になる水耕栽培器を提供する。
【００１３】
本発明の支持枠の掛かり枠に設置された弾性紐設置竿に設置される弾性紐の設置時、弾性紐の上、下及び左、右の変換を容易にすることができるように、丸紐を掛けることができるように構成されているので、水耕栽培植物の太さ及び株数に合わせて弾性紐設置作業を容易に早くできるのみならず、栽培しようとする水耕植物の種類もいろいろと変えながら栽培することができる。
【００１４】
植物の幹の太さは植物の種類ごとに異なり、同じ植物でも育った環境や年数によって異なり、大部分の植物の幹は根と連結する部分からＶ字形に広がりながら育つので、下の部分は狭く上に上がるほど広くなるところ、本発明はこのような太さが多様な形態の植物を弾性紐の左、右の変換で一度に植栽することができる長所がある。
【００１５】
上記のとおり、栽培容器１と、栽培容器１内部に設置される支持枠２で構成され、上記支持枠２は、栽培容器１に掛けられて設置される掛かり枠２１と、掛かり枠２１に掛かり枠２１と直交する方向に下向きに延びて設置される多数個の弾性紐設置竿２２と、弾性紐設置竿２２に設置される弾性紐２３で構成されることを特徴とする水耕栽培器において、上記のように上下二ヶ所に２層で弾性紐２３を設置するようになると、弾性紐の引く力が強くなって、弾性紐が弾性紐設置竿２２を中側へ締めて定型性を害するおそれがあり、このような状態は、弾性紐２３の幹支持力の低下をもたらすおそれがある。それで、本発明は、弾性紐設置竿２２の下端に締り阻止具３を設置してなる水耕栽培器を提供する。
【００１６】
上記のような本願発明の水耕栽培器は「観葉植物水耕鉢」「水槽兼用水耕鉢」「野菜水耕栽培器」「観賞魚稚魚孵化容器」等の用途としても適用することができる。
【００１７】
本発明を添付された図面とともに説明したが、これは本発明の要旨を含む多様な実施形態中の一つの実施例に過ぎず、当業界で通常の知識を有する者が容易に実施することができるようにするところにその目的があるものであり、本発明は、上記説明された実施例にのみ限定されるものでないことは明確である。したがって、本発明の保護範囲は、請求の範囲によって解釈されるべきものであり、本発明の要旨を逸脱しない範囲内での変更、置換、代替等によってそれと同等な範囲内にある全ての技術思想は、本発明の権利範囲に含まれるものである。また、図面の一部構成は、構成をより明確に説明するためのものであり、実際より誇張されるか縮小されて提供されたものであることを明確にしておく。
【符号の説明】
【００１８】
また、各符号の説明は下のとおりである。
１．栽培容器
２．支持枠
２１．掛かり枠
２２．弾性紐設置竿
２３．弾性紐
３．締り阻止具
【図１】
0006650091.tif 000002
【図２】
0006650091.tif 000003
【図３】
0006650091.tif 000004
【図４】
0006650091.tif 000005
【図５】
0006650091.tif 000006